(57)【要約】【課題】無線通信移動局が、移動先で利用できる無線通信サービスのソフトウェアを、前記無線通信サービスが提供される地域に到達する前に先行ダウンロードできる無線システムを得る。【解決手段】無線通信基地局に対して個別に基地局識別子を割り付け、前記基地局識別子をキーとして、該当するサービスエリア群及び隣接サービスエリア群で提供される無線通信サービスをサーバー２で管理する。無線通信移動局４は、無線通信可能基地局５の基地局識別子の情報を含んだサービスリストの要求を送信することにより、サーバー２から隣接サービスエリア群で利用できる無線通信サービスの情報を取得でき、隣接サービスエリア群に到達する前に隣接サービスエリア群の無線通信サービスを利用するためのソフトウェアを先行してダウンロードできる。【選択図】        図１
2004297357.tif 000002
【特許請求の範囲】
【請求項１】
個々に基地局識別子を有する複数の無線通信基地局と、
前記複数の無線通信基地局の中の任意の無線通信可能基地局と通信することにより所望の無線通信サービスを利用する無線通信移動局と、
前記無線通信移動局で利用する複数の無線通信サービスを、基地局識別子の情報、同一の無線通信サービスを提供するサービスエリア群の情報、及び前記サービスエリア群に隣接した１以上の隣接サービスエリア群の情報に基づいて管理するデータベースを有し、ネットワークを介して前記複数の無線通信基地局と通信することにより、無線通信サービスを提供するサーバーとを備え、
前記複数の無線通信基地局は、前記無線通信移動局から受信した無線通信サービスのサービスリストの要求または無線通信サービスを利用するためのソフトウェアのダウンロード要求を前記サーバーに送信し、前記サーバーから受信した無線通信サービスのサービスリストまたは無線通信サービスを利用するためのソフトウェアを前記無線通信移動局に送信し、
前記サーバーは、受信した基地局識別子の情報を含む前記サービスリストの要求に応じて、前記基地局識別子に該当する無線通信基地局の所属する第１のサービスエリア群で提供される無線通信サービス及び前記第１のサービスエリア群に隣接した１以上の隣接サービスエリア群で提供される無線通信サービスを前記データベースから検索してサービスリストを作成し、前記サービスリストを送信し、受信したソフトウェアのダウンロード要求に応じて、前記第１のサービスエリア群で提供される無線通信サービスを利用するためのソフトウェアを送信するとともに、前記隣接サービスエリア群で提供される無線通信サービスを利用するためのソフトウェアを、前記無線通信移動局が前記隣接サービスエリア群に到達する前に送信し、
前記無線通信移動局は、前記無線通信可能基地局から前記無線通信可能基地局の基地局識別子の情報を取得し、前記基地局識別子の情報を含む前記サービスリストの要求の送信に基づいて取得した前記サービスリストの中から所望の無線通信サービスを選択し、前記選択された無線通信サービスを利用するためのソフトウェアのダウンロード要求の送信に基づいて前記ソフトウェアを取得することを特徴とする無線システム。
【請求項２】
請求項１に記載の無線システムにおいて、
前記無線通信移動局は、基地局識別子の情報を取得するための要求の送信に基づいて、無線通信可能基地局の基地局識別子の情報を取得し、
前記複数の無線通信基地局は、無線通信移動局からの要求に応じて前記基地局識別子の情報を前記無線通信移動局に送信することを特徴とする無線システム。
【請求項３】
請求項１に記載の無線システムにおいて、
前記複数の無線通信基地局は、前記基地局識別子の情報を報知情報として不特定複数の無線通信移動局に送信し、
前記無線通信移動局は、無線通信可能基地局からの報知情報として基地局識別子の情報を取得することを特徴とする無線システム。
【請求項４】
請求項１に記載の無線システムにおいて、
前記サーバーは、あらかじめサービスエリア群を、前記サービスエリア群に隣接した１以上の隣接サービスエリア群との境界付近にある切り換えエリア群と、前記隣接サービスエリア群との境界付近にない非切り換えエリア群とに区別して、前記切り換えエリア群及び前記非切り換えエリア群の情報をデータベースに有し、前記第１のサービスエリア群の切り換えエリア群及び非切り換えエリア群の情報に基づいて、前記第１のサービスエリア群に隣接した１以上の隣接サービスエリア群で提供される無線通信サービスのサービスリストの提供を行うことを特徴とする無線システム。
【請求項５】
請求項４に記載の無線システムにおいて、
前記サーバーは、前記無線通信移動局から送信された、今回のサービスリストの要求時における基地局識別子の情報及び前回のサービスリストの要求時における基地局識別子の情報に基づいて、前記無線通信移動局の移動方向を判断し、前記移動方向に基づいて、前記第１のサービスエリア群に隣接した１以上の隣接サービスエリア群で提供される無線通信サービスのサービスリストの提供を行うことを特徴とする無線システム。
【請求項６】
無線通信移動局で利用する複数の無線通信サービスを、基地局識別子の情報、同一の無線通信サービスを提供するサービスエリア群の情報、及び前記サービスエリア群に隣接した１以上の隣接サービスエリア群の情報に基づいて管理するデータベースを有し、ネットワークを介して前記複数の無線通信基地局と通信し、受信した基地局識別子の情報を含むサービスリストの要求に応じて、前記基地局識別子に該当する無線通信基地局の所属する第１のサービスエリア群で提供される無線通信サービス及び前記第１のサービスエリア群に隣接した１以上の隣接サービスエリア群で提供される無線通信サービスを前記データベースから検索してサービスリストを作成し、前記サービスリストを送信し、受信した前記ソフトウェアのダウンロード要求に応じて、前記第１のサービスエリア群で提供される無線通信サービスを利用するためのソフトウェアを送信するとともに、前記隣接サービスエリア群で提供される無線通信サービスを利用するためのソフトウェアを、前記無線通信移動局が前記隣接サービスエリア群に到達する前に送信することを特徴とするサーバー。
【請求項７】
請求項６に記載のサーバーにおいて、
あらかじめサービスエリア群を、前記サービスエリア群に隣接した１以上の隣接サービスエリア群との境界付近にある切り換えエリア群と、前記隣接サービスエリア群との境界付近にない非切り換えエリア群とに区別して、前記切り換えエリア群及び前記非切り換えエリア群の情報をデータベースに有し、前記第１のサービスエリア群の切り換えエリア群及び非切り換えエリア群の情報に基づいて、前記第１のサービスエリア群に隣接した１以上の隣接サービスエリア群で提供される無線通信サービスのサービスリストの提供を行うことを特徴とするサーバー。
【請求項８】
請求項７に記載のサーバーにおいて、
前記無線通信移動局から送信された、今回のサービスリストの要求時における基地局識別子の情報及び前回のサービスリストの要求時における基地局識別子の情報に基づいて、前記無線通信移動局の移動方向を判断し、前記移動方向に基づいて、前記第１のサービスエリア群に隣接した１以上の隣接サービスエリア群で提供される無線通信サービスのサービスリストの提供を行うことを特徴とするサーバー。
【請求項９】
無線通信可能基地局から無線通信移動局に前記無線通信可能基地局の基地局識別子を送信するステップと、
前記無線通信移動局から前記無線通信可能基地局に前記基地局識別子の情報を含むサービスリストの要求を送信するステップと、
前記サーバーで、前記無線通信可能基地局から受信した前記サービスリストの要求に含まれる前記基地局識別子の情報に基づいて、前記サービスリストの要求があった無線通信可能基地局を判断し、前記無線通信可能基地局の所属する第１のサービスエリア群で提供される無線通信サービスと、前記第１のサービスエリア群に隣接した１以上の隣接サービスエリア群で提供される無線通信サービスとをデータベースから検索するステップと、
前記サーバーで、前記検索結果からサービスリストを作成するステップと、
前記サーバーから前記無線通信可能基地局に前記サービスリストを送信するステップと、
前記無線通信移動局で、前記無線通信可能基地局から受信した前記サービスリストと前記無線通信移動局で利用可能な無線通信サービスリストとを照合した後、所望の無線通信サービスを選択するステップと、
前記無線通信移動局から前記無線通信可能基地局に前記選択された無線通信サービスを利用するためのソフトウェアのダウンロード要求を送信するステップと、
前記サーバーで、前記無線通信可能基地局から受信した前記ソフトウェアのダウンロード要求に基づいて、前記データベースから前記ソフトウェアを取り出すステップと、
前記サーバーから前記無線通信可能基地局に前記ソフトウェアを送信するステップと、
前記無線通信移動局で、前記ソフトウェアを前記無線通信可能基地局から受信するステップとを備えたことを特徴とする無線システムのサービス選択方法。
【請求項１０】
請求項４に記載の無線システムのサービス選択方法において、
前記サーバーは、前記第１のサービスエリア群の切り換えエリア群及び非切り換えエリア群の情報に基づいて、前記第１のサービスエリア群に隣接した１以上の隣接サービスエリア群で提供される無線通信サービスの検索を行うことを特徴とする無線システムのサービス選択方法。
【請求項１１】
請求項５に記載の無線システムのサービス選択方法において、
前記サーバーは、前記無線通信移動局から送信された、今回のサービスリストの要求時における基地局識別子の情報及び前回のサービスリストの要求時における基地局識別子の情報に基づいて、前記無線通信移動局の移動方向を判断し、前記移動方向に基づいて、前記第１のサービスエリア群に隣接した１以上の隣接サービスエリア群で提供される無線通信サービスの検索を行うことを特徴とする無線システムのサービス選択方法。
【発明の詳細な説明】
【０００１】
【発明の属する技術分野】
本発明は、無線通信移動局で無線通信サービスを利用するための、サーバー、無線システム及び無線システムのサービス選択方法に関するものである。
【０００２】
【従来の技術】
従来の無線システムにおいて、無線端末は、自端末が初期状態になった際に、ブロードキャストチャネルにアクセスして、所望のソフトウェアをダウンロードするダウンロードチャネルに関する情報を取得し、取得された該情報に基づいて、所定のダウンロードチャネルにアクセスし、所望のソフトウェアをダウンロードすることにより、所望のソフトウェアを実行するものである（例えば、特許文献１参照）。また、地図情報配信サービスにおいては、携帯端末が定期的に現在位置情報を取得し、現在位置、移動方向、移動速度等に基づいて、一定時間後の移動推定位置を算出し、移動推定位置周辺の地図情報を先行ダウンロードするサービスがある（例えば、特許文献２参照）。
【０００３】
【特許文献１】
特開２００１−６１１８６号公報（第５頁、第２図）
【特許文献２】
特開２００２−７１３７６号公報（第６頁、第１図）
【０００４】
【発明が解決しようとする課題】
しかしながら、従来技術には次のような問題点がある。従来の無線システムでは、無線通信移動局に相当する無線端末が無線通信サービスを利用するためには、前記無線通信サービスが提供される地域に到達した後でなければ、前記無線通信サービスを利用するためのソフトウェアをダウンロードできないという問題点があった。また、地図情報配信サービスでは、無線通信移動局に相当する携帯端末が先行ダウンロードサービスを行うためには、定期的に現在位置情報を取得する必要があるとともに、現在位置、移動方向、移動速度等に基づいて一定時間後の移動推定位置を算出するなどの複雑な計算までをも必要としていた。
【０００５】
本発明は上記のような課題を解決するためになされたもので、無線通信移動局の現在位置、移動方向、移動速度等の情報を必要とせずに、移動先のサービスエリア群で提供される無線通信サービスを利用するためのソフトウェアを、移動先のサービスエリア群に到達する前に先行ダウンロードできるサーバー、無線システム及び無線システムのサービス選択方法を得ることを目的とする。
【０００６】
【課題を解決するための手段】
本発明に係る無線システムは、個々に基地局識別子を有する複数の無線通信基地局と、前記複数の無線通信基地局の中の任意の無線通信可能基地局と通信することにより所望の無線通信サービスを利用する無線通信移動局と、前記無線通信移動局で利用する複数の無線通信サービスを、基地局識別子の情報、同一の無線通信サービスを提供するサービスエリア群の情報、及び前記サービスエリア群に隣接した１以上の隣接サービスエリア群の情報に基づいて管理するデータベースを有し、ネットワークを介して前記複数の無線通信基地局と通信することにより、無線通信サービスを提供するサーバーとを備え、前記複数の無線通信基地局は、前記無線通信移動局から受信した無線通信サービスのサービスリストの要求または無線通信サービスを利用するためのソフトウェアのダウンロード要求を前記サーバーに送信し、前記サーバーから受信した無線通信サービスのサービスリストまたは無線通信サービスを利用するためのソフトウェアを前記無線通信移動局に送信し、前記サーバーは、受信した基地局識別子の情報を含む前記サービスリストの要求に応じて、前記基地局識別子に該当する無線通信基地局の所属する第１のサービスエリア群で提供される無線通信サービス及び前記第１のサービスエリア群に隣接した１以上の隣接サービスエリア群で提供される無線通信サービスを前記データベースから検索してサービスリストを作成し、前記サービスリストを送信し、受信したソフトウェアのダウンロード要求に応じて、前記第１のサービスエリア群で提供される無線通信サービスを利用するためのソフトウェアを送信するとともに、前記隣接サービスエリア群で提供される無線通信サービスを利用するためのソフトウェアを、前記無線通信移動局が前記隣接サービスエリア群に到達する前に送信し、前記無線通信移動局は、前記無線通信可能基地局から前記無線通信可能基地局の基地局識別子の情報を取得し、前記基地局識別子の情報を含む前記サービスリストの要求の送信に基づいて取得した前記サービスリストの中から所望の無線通信サービスを選択し、前記選択された無線通信サービスを利用するためのソフトウェアのダウンロード要求の送信に基づいて前記ソフトウェアを取得するものである。
【０００７】
【発明の実施の形態】
実施の形態１．
以下、本発明の実施の形態を図面に基づいて説明する。図１は無線システムを示す構成図である。無線通信可能基地局５は、無線通信移動局４の所在地を通信可能範囲に含む無線通信基地局を表しており、無線通信基地局６は、無線通信可能基地局５が所属するサービスエリア群に隣接した隣接サービスエリア群に属する無線通信基地局を表している。ここでサービスエリア群とは、同一の無線通信サービスを提供する１つ以上の無線通信基地局からなる無線通信基地局群の通信可能範囲を合成した地域を示している。実際には無線通信移動局４は複数の無線通信可能基地局と同時に通信している場合もあるが、図１では見易さ及び説明の簡便さのために、無線通信可能基地局５が１台の場合を示している。
【０００８】
図２は無線通信基地局の通信可能範囲とサービスエリア群の関係の一例を示した図である。図２において、１つの六角形で表された範囲が１つの無線通信基地局の通信可能範囲を示しており、太線がサービスエリア群の境界線を示している。実際には１つ１つの無線通信基地局の通信可能範囲は互いに１部が重なり合っており、サービスエリア群も境界付近は複数のサービスエリア群が重なり合っているが、図２では見易さ及び説明の簡便さのために、各無線通信基地局の通信可能範囲の重なりがない場合を示している。
【０００９】
次に、図３を用いてサービス選定の動作の概略を説明する。図３はサービス選定の動作における無線通信移動局４、無線通信可能基地局５、及びサーバー２のやり取りを示したシーケンス図である。サーバー２と無線通信移動局４との情報のやりとりは、全て無線通信可能基地局５及びネットワーク３を経由するが、説明を簡便とするために、以下の説明では無線通信可能基地局５及びネットワーク３を経由する記述は省略する。まず、無線通信移動局４は無線通信可能基地局５から基地局識別子を取得する（Ｓ３０１）。ここで基地局識別子とは、それぞれの無線通信基地局に対して個別に割り付けられた識別子であり、サーバー２は、基地局識別子の情報を受信することにより、無線通信移動局４がどのサービスエリア群に属しているかを判断できることとなる。次に無線通信移動局４はサーバー２に対して、無線通信可能基地局５から取得した基地局識別子の情報とともに提供サービスリストの要求を送信する（Ｓ３０２）。
【００１０】
サーバー２では、受信した要求の中の基地局識別子の情報に基づき、データベース１上で対応する提供サービスを検索し、サービスの検索が終了すると、提供サービスリストを、無線通信移動局４に送信する（Ｓ３０３）。無線通信移動局４は受信した提供サービスリストに基づいて利用したい無線通信サービスを選択し、サーバー２に対してダウンロード要求を送信する（Ｓ３０４）。サーバー２では、受信したダウンロード要求に基づき、データベース１上で対応する無線通信サービスを利用するためのソフトウェアを検索し、無線通信移動局４にダウンロードする（Ｓ３０５）。
【００１１】
図３に示したソフトウェアダウンロード手順に従って、無線通信移動局４の移動先のサービスエリア群で提供される無線通信サービスを利用するためのソフトウェアを、移動先のサービスエリア群に到達する前に先行してダウンロードする方法の詳細を以下に説明する。データベース１上では、あらかじめ、複数の無線通信基地局のそれぞれに割り付けられた基地局識別子をキーとして、基地局識別子に該当するサービスエリア群で提供される無線通信サービス、及び基地局識別子に該当するサービスエリア群に隣接した１以上の隣接サービスエリア群で提供される無線通信サービスを一括して検索できるようなデータが構成されている。
ここでの無線通信サービスは、必ずしもサーバー２にネットワーク３を介して接続されている無線通信基地局で提供されるものに限定されず、例えば無線ＬＡＮのような局所的に提供される無線通信サービス、あるいは放送のような片方向通信で提供される無線通信サービスを含んでおり、サービスエリア群と関連づけてデータベース化される。
【００１２】
サーバー２は、無線通信移動局４から基地局識別子の情報を含んだサービスリスト要求を受信すると、データベース１上にあらかじめ作り込まれている前記データを用いて、基地局識別子に該当する無線通信基地局の所属するサービスエリア群で提供される無線通信サービス、及び基地局識別子に該当する無線通信基地局の所属するサービスエリア群に隣接した１以上の隣接サービスエリア群で提供される無線通信サービスを合わせて提供サービスリストを作り、無線通信移動局４に返送する。これにより、移動中の無線通信移動局４は、隣接サービスエリア群で提供される無線通信サービスをあらかじめ提供サービスリストにより認識でき、所望の無線通信サービスを利用するためのソフトウェアを隣接サービスエリア群に達する前に先行してダウンロードすることが可能となる。移動中の無線通信移動局４は、移動に伴って、必ずしも１台の無線通信可能基地局と通信するのではなく、複数の無線通信可能基地局と通信することも考えられるが、無線通信移動局４は、Ｓ３０１で取得した基地局識別子の情報に基づいて、上述のサービス選択を行うことにより、所望の無線通信サービスを利用するためのソフトウェアを取得できる。
【００１３】
図４は、無線通信移動局４がサービスエリア群間を移動する際にソフトウェアを先行ダウンロードする様子を示した図である。１１は無線通信サービスＡを提供しているサービスエリア群、１２は無線通信サービスＢを提供しているサービスエリア群、１３はサービスエリア群１１内で局所的な無線通信サービスＣを提供しているサービスエリア群であり、前記サービスエリア群１１は前記サービスエリア群１２と隣接している。無線通信サービスＣはサービスエリア群１１内で提供される無線通信サービスとして、あらかじめデータベース化される。図４において、無線通信移動局４は移動軌跡１４の上を左側から右側に向けて移動するものとする。移動軌跡１４に従って無線通信移動局４が移動した際に、サービスエリア群１２に到達するポイントをポイント１５とし、サービスエリア群１１に到達するポイントをポイント１６とする。
【００１４】
無線通信移動局４がポイント１５に到達した時に、無線通信移動局４がサーバーより受信する提供サービスリストの中には、サービスエリア群１２のサービスに相当する無線通信サービスＢに加え、サービスエリア群１２に隣接した隣接サービスエリア群であるサービスエリア群１１のサービスに相当する無線通信サービスＡ及び無線通信サービスＣが含まれている。もしも無線通信移動局４が、サービスエリア群１１のサービスに相当する無線通信サービスＡまたは無線通信サービスＣの利用を選択し、かつ無線通信サービスＡまたは無線通信サービスＣを利用するためのソフトウェアがまだダウンロードされていない状態であれば、該当するソフトウェアのダウンロードを無線通信移動局４がサービスエリア群１１に到達する前に先行して開始する。さらに、無線通信移動局４はポイント１６に到達すると、既に該当するソフトウェアのダウンロードが完了しているため、直ちに無線通信サービスＡの利用を開始できる。同様の仕組みによって、無線通信サービスＢのソフトウェアはポイント１５に到達する以前に既にダウンロード済であったものと考えられ、無線通信移動局４はポイント１５に到達すると直ちに無線通信サービスＢの利用を開始できる。
【００１５】
次に、本実施の形態１に係るデータベース１の生成及びサービス選択の流れについて、詳細を説明する。
［データベースの生成］
まず、隣接サービスエリア群の無線通信サービスを検索するためのデータベースの生成について説明する。データベース１には、基地局識別子の情報から隣接サービスエリア群で提供される無線通信サービスを検索できるように、あらかじめ基地局識別子をキーとしたデータを作り込んでおく。例えば、次の２つの関係付けをあらかじめ行っておく。
（１）無線通信基地局とサービスエリア群の関係
基地局識別子に対して、該当する無線通信基地局及び該当するサービスエリア群を関係付けたデータをデータベース化する。
（２）サービスエリア群と隣接サービスエリア群の無線通信サービスの関係
サービスエリア群に対して、当該サービスエリア群及び隣接サービスエリア群で提供される無線通信サービスを関連付けたデータをデータベース化する。
【００１６】
［サービスの選択］
次にサービス選択の手順についてフローチャートを用いて説明する。図５は本発明の実施の形態１に係るソフトウェアダウンロードにおけるサービス選択の手順を示したフローチャートである。サービス選択は、無線通信移動局４の移動による無線通信基地局間移動時、電源投入時、あるいはユーザー操作による指定時に発生する（Ｓ５０１）。サービス選択が発生した場合、無線通信移動局４はまず、無線通信可能基地局５から基地局識別子を取得する（Ｓ５０２）。基地局識別子の取得方法としては、無線通信移動局４から無線通信可能基地局５に基地局識別子の送信を要求する方法と、無線通信基地局から不特定の無線通信移動局への報知情報として定期的に送信するようにしておく方法が考えられる。次に、無線通信移動局４はサーバー２に対して、取得した無線通信可能基地局５の基地局識別子の情報とともに提供サービスリストの要求を送信する（Ｓ５０３）。
【００１７】
サーバー２では、提供サービスリストの要求を受信すると（Ｓ５０４）、受信した要求の中の基地局識別子の情報に基づき、データベース１から提供サービスを検索する。まず、サーバー２は、基地局識別子をキーとして、無線通信基地局とサービスエリア群の関係データから、基地局識別子に該当する無線通信基地局の所属するサービスエリア群を検索する（Ｓ５０５）。次に検索により得たサービスエリア群をキーとして、サービスエリア群及び隣接サービスエリア群で提供される無線通信サービスのリストを検索する（Ｓ５０６）。サーバー２では、サービスの検索が終了すると、提供サービスリストを作成し（Ｓ５０７）、無線通信移動局４に送信する（Ｓ５０８）。
【００１８】
無線通信移動局４では、提供サービスリストを受信すると（Ｓ５０９）、利用するサービスの選定を行う。無線通信移動局４は、自局の能力や無線通信サービスへの契約状況などにより、自局で利用可能なサービスをあらかじめ決めておき、利用可能サービスリストとして無線通信移動局４内に保存しておく。無線通信移動局４では、あらかじめ保存されている利用可能サービスリストとサーバー２から取得した提供サービスリストとを照合し、両方のリストに含まれるサービスを照合結果サービスリストとして抽出する。さらに、無線通信移動局４は、照合結果サービスリストの中で既にソフトウェアを取得済みのサービスを除いたものの中から、利用したい無線通信サービスを選定し、要求サービスリストを作成する（Ｓ５１０）。
【００１９】
次に、無線通信移動局４は、要求サービスリストに基づいて、サーバー２に対してソフトウェアのダウンロードを要求する（Ｓ５１１）。サーバー２では、ダウンロード要求を受信すると（Ｓ５１２）、送られてきた要求サービスリストに該当するソフトウェアを無線通信移動局４に対して送信する（Ｓ５１３）。無線通信移動局４は、サーバー２から送信されたソフトウェアを受信する（Ｓ５１４）。図６は、上述した各種サービスリストの様子を示した図である。
【００２０】
実施の形態１によれば、基地局識別子に基づいて、該当するサービスエリア群及び隣接サービスエリア群で提供される無線通信サービスをあらかじめ関係付けてデータベース化しているため、該当するサービスエリア群の無線通信サービス情報に加えて、隣接サービスエリア群の無線通信サービス情報も迅速に検索することができる。また、上記の検索結果に基づいて、隣接サービスエリア群で利用したい無線通信サービスに該当するソフトウェアを、隣接サービスエリア群に到達する前に先行してダウンロードすることが可能となり、無線通信移動局は隣接サービスエリア群に到達すると直ちに先行ダウンロード済みの無線通信サービスの利用を開始できる。さらに、無線通信移動局の位置を判断する情報として、無線通信基地局の基地局識別子の情報のみを使用しており、無線通信移動局の現在位置、移動方向、移動速度等の情報を得るための特別な手段が不要となる。
【００２１】
実施の形態２．
実施の形態１は、あるサービスエリア群内の無線通信移動局に対し、隣接サービスエリア群で提供される無線通信サービスを通知し、先行ダウンロードを行うようにしたものであるが、実施の形態２は、１つのサービスエリア群内に、隣接サービスエリア群の無線通信サービスを先行ダウンロードするための切り替えエリア群を設けた場合を示す。本実施の形態２における無線システムは、図１において、無線通信可能基地局５がさらに、隣接サービスエリア群に対する切り替えエリア群に存在する無線通信可能基地局である場合に相当する。
【００２２】
ここで切り替えエリア群とは、あるサービスエリア群内で隣接サービスエリア群との境界付近に位置する１以上の無線通信基地局の通信可能範囲を合成した地域を示している。サービスエリア群が複数のサービスエリア群と隣接する場合には、１つのサービスエリア群内に複数の切り替えエリア群が配置され、それぞれの隣接サービスエリア群に対する切り替えエリア群として定義される。図７はサービスエリア群と切り替えエリア群の配置例を示した図である。説明を簡略化するために、２つのサービスエリア群Ａ及びＢにおける切り換えエリア群について説明する。図７において、１つの六角形で表された範囲が１つの無線通信基地局の通信可能範囲を示しており、サービスエリア群Ａとサービスエリア群Ｂとの境界２１が太線により示されている。
【００２３】
サービスエリア群Ａ内の六角形において、内部が縦線で表されている範囲がサービスエリア群Ａにおけるサービスエリア群Ｂに対する切り替えエリア群２２を示し、内部に縦線のない範囲がサービスエリア群Ａにおけるサービスエリア群Ｂに対する非切り替えエリア群２３を示している。同様に、サービスエリア群Ｂ内の六角形において、内部が斜線で表されている範囲がサービスエリア群Ｂにおけるサービスエリア群Ａに対する切り替えエリア群２４を示し、内部に斜線のない範囲がサービスエリア群Ｂにおけるサービスエリア群Ａに対する非切り替えエリア群２５を示している。
【００２４】
次に、本実施の形態２に係るデータベース１の生成及びサービス選択の流れについて、詳細を説明する。
［データベースの生成］
まず、切り換えエリア群を考慮して無線通信サービスを検索するためのデータベースの生成について説明する。データベース１には、基地局識別子の情報から、該当する無線通信基地局が切り換えエリア群に属するかを判断した上で、隣接サービスエリア群で提供される無線通信サービスを検索できるように、あらかじめ基地局識別子をキーとしたデータを作り込んでおく。例えば、次の３つの関係付けをあらかじめ行っておく。
（１）無線通信基地局とサービスエリア群の関係
基地局識別子に対して、該当する無線通信基地局及び該当するサービスエリア群を関係付けたデータをデータベース化する。
（２）無線通信基地局と隣接サービスエリア群の関係
基地局識別子に対して、該当する無線通信基地局が切り換えエリア群に属する場合には該当する隣接サービスエリア群を関係付けたデータをデータベース化する。該当する無線通信基地局が切り換えエリア群に属さない場合には隣接サービスエリア群は指定されない。
（３）サービスエリア群と無線通信サービスの関係
サービスエリア群に対して、当該サービスエリア群で提供される無線通信サービスを関連付けたデータをデータベース化する。
なお、上記（１）及び（２）のデータは基地局識別子をキーとして、まとめてデータベース化することができる。
【００２５】
［サービスの選択］
次にサービス選択の手順についてフローチャートを用いて説明する。図８は本発明の実施の形態２に係るソフトウェアダウンロードにおけるサービス選択の手順を示したフローチャートである。図８におけるステップ番号Ｓ８０１〜Ｓ８１４は、実施の形態１のフローチャートである図５におけるステップ番号Ｓ５０１〜Ｓ５１４と同様であり、処理が異なるステップに関してはＳ８２０以降で記述し、以下に詳細を説明する。Ｓ８０１〜Ｓ８０３は図５のＳ５０１〜Ｓ５０３と同一であり説明を省略する。
【００２６】
サーバー２では、提供サービスリストの要求を受信すると（Ｓ８０４）、受信した要求の中の基地局識別子の情報に基づき、データベース１からサービス情報を検索する。まず、サーバー２は、基地局識別子をキーとして、無線通信基地局とサービスエリア群の関係データから、基地局識別子に該当する無線通信基地局の所属するサービスエリア群を検索する（Ｓ８０５）。次に検索により得たサービスエリア群をキーとして、無線通信可能基地局５が属するサービスエリア群で提供される無線通信サービスのリストを検索する（Ｓ８２０）。
【００２７】
次に、サーバー２では、基地局識別子に該当する無線通信基地局が切り替えエリア群に属するかを判定する（Ｓ８２１）。切り替えエリア群に属する場合には、さらに無線通信基地局と隣接サービスエリア群の関係データから、基地局識別子に該当する無線通信基地局が属する隣接サービスエリア群を検索し（Ｓ８２２）、隣接サービスエリア群で提供される無線通信サービスのリストを検索する（Ｓ８２３）。サーバー２では、サービスの検索が終了すると、Ｓ８２０及びＳ８２３の検索結果に基づいて提供サービスリストを作成し（Ｓ８０７）、無線通信移動局４に送信する（Ｓ８０８）。以下、Ｓ８０９〜Ｓ８１４は図５のＳ５０９〜Ｓ５１４と同一であり説明を省略する。
【００２８】
実施の形態２によれば、実施の形態１と同様の効果が得られるとともに、サービスエリア群内に切り換えエリア群を設けることにより、隣接サービスエリア群との境界付近でのみ隣接サービスエリア群のサービスリストを無線通信移動局に送信することができ、先行ダウンロードしたソフトウェアが無駄になる確率を低く抑えることが可能となる。
【００２９】
実施の形態３．
実施の形態３は、無線通信移動局の移動方向を考慮して、先行ダウンロードを実施する場合を示す。現在のサービスリスト要求時の基地局識別子と、過去のサービスリスト要求時の基地局識別子との関係から無線通信移動局の移動方向を推定する。たとえば、同一サービスエリア群内で非切り替えエリア群から切り替えエリア群に移動した場合には、無線通信移動局が切り換えエリア群に隣接した隣接サービスエリア群の方向に移動していると推定できる。本実施の形態３における無線システムは、図１において、無線通信可能基地局５がさらに、隣接サービスエリア群に対する切り替えエリア群に存在する無線通信可能基地局である場合に相当する。
【００３０】
次に、本実施の形態３に係るデータベース１の生成及びサービス選択の流れについて、詳細を説明する。
［データベースの生成］
切り換えエリア群を考慮して無線通信サービスを検索するデータベースの生成については、実施の形態２の場合と同様であり、説明を省略する。
【００３１】
［サービスの選択］
次にサービス選択の手順についてフローチャートを用いて説明する。図９は本発明の実施の形態３に係るソフトウェアダウンロードにおけるサービス選択の手順を示したフローチャートである。移動前の基地局識別子、すなわち前回のサービスリスト要求時の基地局識別子は無線通信移動局４からサーバー２に送信する方法と、サーバー２で保存しておく方法が考えられる。ここでは、無線通信移動局４からサーバー２に送信する方法を用いた場合について説明する。図９におけるステップ番号Ｓ９０１〜Ｓ９１４は、実施の形態１のフローチャートである図５におけるステップ番号Ｓ５０１〜Ｓ５１４と同様であり、処理が異なるステップに関してはＳ９３０以降で記述し、以下に詳細を説明する。
【００３２】
サービス選択は、無線通信移動局４の移動による無線通信基地局間移動時に発生する（Ｓ９０１）。サービスの選択が発生した場合、無線通信移動局４はまず、前回取得した基地局識別子を保存し（Ｓ９３０）、その後に無線通信可能基地局５から基地局識別子を取得する（Ｓ９０２）。次に、無線通信移動局４はサーバー２に対して、取得した無線通信可能基地局５の基地局識別子の情報及びＳ９３０で保存した前回の基地局識別子の情報とともに提供サービスリストの要求を送信する（Ｓ９３１）。
【００３３】
サーバー２では、提供サービスリスト要求を受信すると（Ｓ９０４）、受信した要求の中の今回の基地局識別子及び前回の基地局識別子の情報に基づき、データベース１からサービス情報を検索する。まず、サーバー２は、今回の基地局識別子をキーとして、無線通信基地局とサービスエリア群の関係データから、今回の基地局識別子に該当する無線通信基地局の所属するサービスエリア群を検索する（Ｓ９３２）。次に検索により得たサービスエリア群をキーとして、今回の基地局識別子に該当する無線通信基地局の所属するサービスエリア群で提供される無線通信サービスのリストを検索する（Ｓ９３３）。
【００３４】
次に、サーバー２では、今回の基地局識別子の情報に基づいて今回のサービスリストの要求時における今回の基地局識別子に該当する無線通信基地局が切り替えエリア群に属するかを判定する（Ｓ９３４）。切り替えエリア群に属する場合には、さらに前回の基地局識別子の情報に基づいて前回のサービスリストの要求時における前回の基地局識別子に該当する無線通信基地局が同じサービスエリア群内の非切り替えエリア群に属するかを判定する（Ｓ９３５）。非切り替えエリア群に属する場合には、同じサービスエリア群内で無線通信移動局４が非切り換えエリア群から切り換えエリア群に移動してきたと判断し、無線通信基地局と隣接サービスエリア群の関係データから、今回の基地局識別子に該当する無線通信基地局が属する隣接サービスエリア群を検索し（Ｓ９３６）、隣接サービスエリア群で提供される無線通信サービスのリストを検索する（Ｓ９３７）。サーバー２では、サービスの検索が終了すると、Ｓ９３３及びＳ９３７の検索結果に基づいて提供サービスリストを作成し（Ｓ９０７）、無線通信移動局４に送信する（Ｓ９０８）。以下、Ｓ９０９〜Ｓ９１４は図５のＳ５０９〜Ｓ５１４と同一であり説明を省略する。
【００３５】
Ｓ９３２〜Ｓ９３７までの提供サービスリストの生成は、サービス選択の発生要因が、無線通信移動局４の移動による無線通信基地局移動時の場合を想定しており、さらに、非切り替えエリア群から切り替えエリア群への移動時のみ、隣接サービスエリア群で提供されるサービスを提供サービスリストとして無線通信移動局４に送信するようにしている。サービス選択の発生要因が、無線通信移動局４の電源投入やユーザーの操作によるサービスリスト要求の場合には、移動との関連が無いので、前回要求時の無線通信基地局を考慮する意味がない。この場合は実施の形態２で示した図８のＳ８２１〜Ｓ８２３のような手順で、現状の基地局識別子に該当する無線通信基地局が切り換えエリア群に属するか否かの判断に基づいて、隣接サービスエリア群の提供サービスリストを作成することとなる。
【００３６】
実施の形態３によれば、実施の形態１及び２と同様の効果が得られるとともに、基地局識別子の情報を元に無線通信移動局の移動を判断することにより、無線通信移動局が同一サービスエリア群の非切り替えエリア群から切り替えエリア群に移動した場合にのみ隣接サービスエリア群のサービス情報を提供することができ、無線通信移動局が隣接サービスエリア群の方向に移動している時のみに効率よく先行ダウンロードを行うことができる。
【００３７】
【発明の効果】
以上のように、本発明によれば、個別に割り付けられた基地局識別子を用いて複数の無線通信基地局を識別することにより、無線通信移動局の現在位置、移動方向、移動速度等の情報を必要とせずに、移動先のサービスエリア群で提供される無線通信サービスを利用するためのソフトウェアを、移動先のサービスエリア群に到達する前に先行してダウンロードできるサーバー、無線システム及び無線システムのサービス選択方法を得ることができる。
【図面の簡単な説明】
【図１】無線システムを示す構成図である。
【図２】無線通信基地局の通信可能範囲とサービスエリア群の関係の一例を示した図である。
【図３】サービス選定の動作における無線通信移動局、無線通信可能基地局、及びサーバーのやり取りを示したシーケンス図である。
【図４】無線通信移動局がサービスエリア群間を移動する際にソフトウェアを先行ダウンロードする様子を示した図である。
【図５】本発明の実施の形態１に係るソフトウェアダウンロードにおけるサービス選択の手順を示したフローチャートである。
【図６】各種サービスリストの様子を示した図である。
【図７】サービスエリア群と切り替えエリア群の配置例を示した図である。
【図８】本発明の実施の形態２に係るソフトウェアダウンロードにおけるサービス選択の手順を示したフローチャートである。
【図９】本発明の実施の形態３に係るソフトウェアダウンロードにおけるサービス選択の手順を示したフローチャートである。
【符号の説明】
１  データベース、２  サーバー、３  ネットワーク、４  無線通信移動局、５  無線通信可能基地局、６  無線通信基地局、１１  無線通信サービスＡのサービスエリア群、１２  無線通信サービスＢのサービスエリア群、１３  局所的な無線通信サービスＣのサービスエリア群、１４  無線通信移動局の移動軌跡、１５  無線通信移動局がサービスエリア群１２に到達するポイント、１６  無線通信移動局がサービスエリア群１１に到達するポイント、２１  サービスエリア群Ａとサービスエリア群Ｂとの境界、２２  サービスエリア群Ａにおけるサービスエリア群Ｂに対する切り替えエリア群、２３  サービスエリア群Ａにおけるサービスエリア群Ｂに対する非切り替えエリア群、２４  サービスエリア群Ｂにおけるサービスエリア群Ａに対する切り替えエリア群、２５  サービスエリア群Ｂにおけるサービスエリア群Ａに対する非切り替えエリア群。
【図１】
2004297357.tif 000003
【図２】
2004297357.tif 000004
【図３】
2004297357.tif 000005
【図４】
2004297357.tif 000006
【図５】
2004297357.tif 000007
【図６】
2004297357.tif 000008
【図７】
2004297357.tif 000009
【図８】
2004297357.tif 000010
【図９】
2004297357.tif 000011